(57)【要約】【課題】各顧客の下にある、印字機能を有する通信端末装置での印字枚数を自動で集計管理するとともに、各通信端末装置においても印字枚数が集計されたことを顧客が確実に知ることができるようにすることが課題である。【解決手段】印字機能を有し、通信回線を介して印字枚数情報を集計装置５に送信する通信端末装置１であって、前記印字枚数情報を記憶する印字枚数記憶部１３ａと、前記印字枚数情報を書き込むための所定のフォーマットを記憶する雛形記憶部１３ｂと、前記集計装置５に前記印字枚数情報を送信したことをトリガとして、その送信した印字枚数情報を前記雛形記憶部１３ｂの所定フォーマット内に書き込み通知レポートとして印字出力する制御手段とを備える。【選択図】　図７
2004080521.tif 000002
【特許請求の範囲】
【請求項１】
印字機能を有し、通信回線を介して印字枚数情報を集計装置に送信する通信端末装置であって、
前記印字枚数情報を記憶する印字枚数記憶手段と、
前記印字枚数情報を書き込むための所定のフォーマットを記憶する雛形記憶手段と、
前記集計装置に前記印字枚数情報を送信したことをトリガとして、その送信した印字枚数情報を前記雛形記憶手段の所定フォーマット内に書き込み通知レポートとして印字出力する制御手段と、
を備えたことを特徴とする印字機能を有する通信端末装置。
【請求項２】
請求項１に記載の印字機能を有する通信端末装置において、
前記集計装置に前記印字枚数情報を送信した際に特定ビットの状態を変化させる通知手段と、
前記特定ビットの状態変化を所定周期で監視する監視手段とを備え、
前記制御手段は、前記監視手段により前記特定ビットの変化を検出すると、前記の送信した印字枚数情報を前記雛形記憶手段の所定フォーマット内に書き込み通知レポートとして印字出力させることを特徴とする印字機能を有する通信端末装置。
【請求項３】
通信回線を介して通信端末装置に接続され、該通信端末装置の記憶手段に格納されている印字枚数情報を受信する印字枚数集計装置であって、
前記通信端末装置から受信した印字枚数情報を書き込むための所定のフォーマットを記憶する雛形記憶手段と、
前記通信端末装置から前記印字枚数情報を受信すると、その受信した印字枚数情報を所定フォーマットに書き込んで通知レポートデータを生成し、該印字枚数情報の受信に引き続いて同一の通信手順内で、該通知レポートデータを画情報として該通信端末装置に送信する制御手段と、
を備えたことを特徴とする印字枚数集計装置。
【請求項４】
通信回線を介して通信端末装置に接続され、該通信端末装置の記憶手段に格納されている印字枚数情報を受信する印字枚数集計装置であって、
前記通信端末装置から受信した印字枚数情報を書き込むための所定のフォーマットを記憶する雛形記憶手段と、
前記通信端末装置から前記印字枚数情報を受信すると、その受信した印字枚数情報を所定フォーマットに書き込んで通知レポートデータを生成し、該印字枚数情報の受信後、通信回線を一旦切断した後に、再度、該通信端末装置に対して通信アクセスを行い、この通信手順で該通知レポートデータを画情報として該通信端末装置に送信する制御手段と、
を備えたことを特徴とする印字枚数集計装置。
【発明の詳細な説明】
【０００１】
【発明の属する技術分野】
本発明は、ファクシミリ装置やコピー・ファクシミリ複合機等、印字機能を有する通信端末装置と、該通信端末装置から通信回線を介して印字枚数情報を集計管理する印字枚数集計装置との技術に関する。
【０００２】
【従来の技術】
従来より、ファクシミリ装置やコピー・ファクシミリ複合機等、印字機能を有する通信端末装置をリースするサービス・システムが知られ、該通信端末装置を借り受けた顧客はリース会社に対して、月々、基本料金と印字枚数に応じた料金等を支払うようになっている。
【０００３】
【発明が解決しようとする課題】
しかし、このサービス・システムでは、顧客の下にリースした通信端末装置の印字枚数を調べるために、リース会社からサービスマンが一軒一軒顧客の下を訪問して、顧客の下の通信端末装置に添設された印字枚数カウンターを調べるという方法が取られていた。
あるいは、リース会社からオペレータが電話で顧客に印字枚数を確認したり、若しくは、リース会社から顧客の下に印字枚数報告用紙がファクス送信されて、顧客が該印字枚数報告用紙に記入して返信するという方法が取られていた。
何れの場合も、非常に手間がかかり、そこで、本発明では、各顧客の下にある、印字機能を有する通信端末装置での印字枚数を自動で集計管理するとともに、各通信端末装置においても印字枚数が集計されたことを顧客が確実に知ることができるようにすることを課題とする。
【０００４】
【課題を解決するための手段】
本発明の解決しようとする課題は以上の如くであり、次にこの課題を解決するための手段は、以下に示すとおりである。
まず、請求項１に記載のように、印字機能を有し、通信回線を介して印字枚数情報を集計装置に送信する通信端末装置であって、前記印字枚数情報を記憶する印字枚数記憶手段と、前記印字枚数情報を書き込むための所定のフォーマットを記憶する雛形記憶手段と、前記集計装置に前記印字枚数情報を送信したことをトリガとして、その送信した印字枚数情報を前記雛形記憶手段の所定フォーマット内に書き込み通知レポートとして印字出力する制御手段と、を備える。
【０００５】
また、請求項２に記載のように、請求項１に記載の印字機能を有する通信端末装置において、前記集計装置に前記印字枚数情報を送信した際に特定ビットの状態を変化させる通知手段と、前記特定ビットの状態変化を所定周期で監視する監視手段とを備え、前記制御手段は、前記監視手段により前記特定ビットの変化を検出すると、前記の送信した印字枚数情報を前記雛形記憶手段の所定フォーマット内に書き込み通知レポートとして印字出力させる。
【０００６】
そして、請求項３に記載のように、通信回線を介して通信端末装置に接続され、該通信端末装置の記憶手段に格納されている印字枚数情報を受信する印字枚数集計装置であって、前記通信端末装置から受信した印字枚数情報を書き込むための所定のフォーマットを記憶する雛形記憶手段と、前記通信端末装置から前記印字枚数情報を受信すると、その受信した印字枚数情報を所定フォーマットに書き込んで通知レポートデータを生成し、該印字枚数情報の受信に引き続いて同一の通信手順内で、該通知レポートデータを画情報として該通信端末装置に送信する制御手段と、を備える。
【０００７】
または、請求項４に記載のように、通信回線を介して通信端末装置に接続され、該通信端末装置の記憶手段に格納されている印字枚数情報を受信する印字枚数集計装置であって、前記通信端末装置から受信した印字枚数情報を書き込むための所定のフォーマットを記憶する雛形記憶手段と、前記通信端末装置から前記印字枚数情報を受信すると、その受信した印字枚数情報を所定フォーマットに書き込んで通知レポートデータを生成し、該印字枚数情報の受信後、通信回線を一旦切断した後に、再度、該通信端末装置に対して通信アクセスを行い、この通信手順で該通知レポートデータを画情報として該通信端末装置に送信する制御手段と、を備える。
【０００８】
【発明の実施の形態】
以下に、本発明の一実施の形態を説明する。
図１は、顧客下に常置されているファクシミリ装置、又はコピー・ファクシミリ複合機等の印字機能を有する通信端末装置１・１・・・と、中央集計センターに設置された管理サーバーである集計装置５とを通信接続した印字枚数集計システムの構成図である。この集計装置５はパーソナル・コンピュータや、ワークステーションなどで構成され、通信回線（ＰＳＴＮ）９を介して、各通信端末装置１・１・・・毎の印字枚数を集計管理している。
【０００９】
図２は前記通信端末装置１の制御構成を示すブロック図であり、通信端末装置１の制御部には、制御手段であるＣＰＵ１０、ＲＯＭ１２、ＲＡＭ１３、画像メモリ（ＤＲＡＭ）１４、コーデック（符号化・復号器）１５、モデム１８、ＮＣＵ（網制御部）１９、画像読取部３、画像記録部４、操作部２、表示部２０等が備えられ、前記の各部がバス１１を介して、通信可能に接続されている。
【００１０】
ＲＯＭ１２には、通信端末装置１を制御する制御プログラム等が記憶されており、ＲＡＭ１３には、通信端末装置１の制御状態等の各種情報が一時的に記憶されて、ＣＰＵ１０は、操作部２への入力操作、及びＲＯＭ１２に書き込まれている制御プログラム等に従って、ＲＡＭ１３を作業領域として通信端末装置１の全体制御を実行する。
【００１１】
画像読取部３と画像記録部４とは通信端末装置１の本体に上下に配置されて（図１参照）、画像読取部３は、写真、文書、図面等の原稿を光学的に走査（スキャン）して、その反射光や透過光の強度を計り、これをＡＤ（アナログ−デジタル）変換して、イメージデータである画情報を出力する。画像記録部４は、電子写真方式のプリンタで構成され、画像読取部３で出力された画情報や、モデム１８を介して受信した画情報を、記録紙上に記録（印刷）する。画像メモリ１４は、画像読取部３で読み取った画情報をメモリ送信するために一時的に蓄積したり、受信した画情報を画像記録部４により記録するまで一時的に蓄積したりする。
【００１２】
操作部２は通信端末装置１の本体上部に形成されており（図１参照）、通信端末装置１を操作するための入力手段として、スタートキーなどの各種操作キーが配列されている。表示部２０は、ＬＣＤ（液晶ディスプレイ）で構成されており、操作部２上に配置されて、通信端末装置１の動作状態等の各種情報が表示される。
【００１３】
コーデック（符号化・復号器）１５は、符号化器として機能し、画像読取部３で読み取られた原稿画情報を、ＭＨ、ＭＲ、ＭＭＲ方式等により符号化（エンコード）する。また、コーデック１５は復号器としても機能し、前記符号化したイメージデータを、復号（デコード）する。
【００１４】
モデム１８は、ＩＴＵ（国際電気通信連合）勧告に従ったファクシミリ伝送制御手順に基づいて、送信データの変調及び受信データの復調を行う。ＮＣＵ（網制御部）１９は、通信回線（ＰＳＴＮ）９との接続を制御するとともに、相手先の電話番号（ファックス番号を含む）に対応したダイアル信号の送出及び着信を検出するための機能を備えている。
【００１５】
さらに、本発明では、ＲＯＭ１２にコピー又はファクシミリ受信でプリントアウトされた用紙の印字枚数をカウントする制御プログラムが格納されている。この印字枚数は、▲１▼全てのプリントアウトに対して共通にカウントしたり、▲２▼用紙サイズ毎に印字枚数をカウントしたり、あるいは、▲３▼コピー機能の実行によるプリントアウトと、ファクシミリ受信によるプリントアウトと、ネットワークプリントアウトなどのその他の機能の実行によるプリントアウトとを区別して、プリントアウトの種類毎に印字枚数をカウントしたりすることが可能である。また、ＲＡＭ１３に該印字枚数情報を記憶する印字枚数記憶部１３ａと、該印字枚数情報を書き込むための所定のフォーマットを記憶する雛形記憶部１３ｂとが設けられている。
【００１６】
図３は前記集計装置５の制御構成を示すブロック図であり、集計装置５の制御部には、制御手段であるＣＰＵ５０、ＲＯＭ５２、ＲＡＭ５３、表示部６、操作部７、モデム５８、ＮＣＵ（網制御部）５９等が備えられ、前記の各部がバス５１を介して、通信可能に接続されている。
【００１７】
ＲＯＭ５２には、集計装置５を制御する制御プログラム等が記憶されており、ＲＡＭ５３には、集計装置５の制御状態等の各種情報が一時的に記憶されて、ＣＰＵ５０は、操作部７への入力操作や、ＲＯＭ５２に書き込まれている制御プログラム等に従って、ＲＡＭ５３を作業領域として集計装置５の全体制御を実行する。
【００１８】
表示部６はＬＣＤ（液晶ディスプレイ）で構成されて、集計装置５の本体５Ｂと接続ケーブルを介して通信接続され、顧客の印字枚数情報等の各種情報が表示される。操作部７はキーボードで構成されて、各種操作キーが配列されており、表示部６の前方に配置されて、集計装置５の本体５Ｂと接続ケーブルを介して通信接続されている。
【００１９】
モデム５８は、ＩＴＵ（国際電気通信連合）勧告に従った伝送制御手順に基づいて、送信データの変調及び受信データの復調を行う。ＮＣＵ（網制御部）５９は、通信回線（ＰＳＴＮ）９との接続を制御するとともに、相手先の電話番号（ファックス番号を含む）に対応したダイアル信号の送出及び着信を検出するための機能を備えている。
【００２０】
また、印字枚数集計処理に係るアプリケーション・ソフトウェアのインストールによって、ＲＡＭ５３に集計対象となる通信端末装置１・１・・・の通信アクセス番号（ファックス番号）及び機種情報（機種名）等を記憶する顧客情報データベース５３ａと、各通信端末装置１・１・・・から受信した印字枚数情報を記憶する印字枚数記憶部５３ｂと、通信端末装置１・１・・・の記憶手段たるＲＡＭ１３・１３・・・の印字枚数記憶部１３ｂ・１３ｂ・・・において印字枚数情報が格納されているアドレスを記憶するアドレス記憶部５３ｃと、通信端末装置１・１・・・から受信した印字枚数情報を書き込むための所定のフォーマットを記憶する雛形記憶部５３ｄとが確保され、また、ＲＯＭ５２には本発明の印字枚数集計処理に係る制御プログラムが形成されている。
【００２１】
具体的に、前記制御プログラムには、▲１▼顧客情報データベース５３ａ、又は顧客情報データベース５３ａから取り出された顧客管理テーブルを参照して通信端末装置１に通信アクセスを行うとともに、アドレス記憶部５３ｃを参照して該通信端末装置１に対して印字枚数記憶部１３ｂに相当するアドレスを指定して、該通信端末装置１から印字枚数情報を乗せた非標準信号を受信する印字枚数受信プログラム、▲２▼通信端末装置１から印字枚数情報を乗せた非標準信号を受信すると、その受信した印字枚数情報を雛形記憶部５３ｄの所定フォーマットに書き込んで通知レポートデータを生成し、該印字枚数情報を乗せた非標準信号の受信後、回線を切断することなく、該通知レポートデータを該印字枚数情報を乗せた非標準信号の受信と連続して同一の通信手順内で、画情報として該通信端末装置１に送信する第１の印字枚数返信プログラムと、▲３▼通信端末装置１から印字枚数情報を乗せた非標準信号を受信すると、その受信した印字枚数情報を雛形記憶部５３ｄの所定フォーマットに書き込んで通知レポートデータを生成し、該印字枚数情報を乗せた非標準信号の受信後、通信回線を一旦切断した後に、再度、該通信端末装置１に対して通信アクセスを行い、この通信手順で該通知レポートデータを画情報として、該通信端末装置１に送信する第２の印字枚数返信プログラム等が含まれている。
【００２２】
この第１の印字枚数返信プログラムと、第２の印字枚数返信プログラムとは、通信端末装置１から交信能力を乗せた信号を受信することで、該交信能力に応じて何れか一方の印字枚数返信プログラムに切り替えられるように構成されている。
【００２３】
次に、図４を参照しながら、集計装置５での印字枚数集計処理について説明する。
この集計装置５では、例えば、１ヶ月単位や半年単位など周期的に、管理下の通信端末装置１・１・・・から印字枚数が集計される。通信端末装置１・１・・・から印字枚数を集計する時期（周期）は、集計装置５の操作部７の操作によって設定されている。
【００２４】
まず、集計装置５に内蔵されたタイマー機能によって、各通信端末装置１・１・・・からの集計時刻になったことが検出されると（ステップＳ１）、集計装置５のＣＰＵ５０から印字枚数情報の取得指示が出力され（ステップＳ２）、顧客情報データベース５３ａより顧客管理テーブルが取得される（ステップＳ３）。
【００２５】
この顧客管理テーブルは、例えば、図５の（ａ）に示すような、ＣＳＶ形式のファイルで作成されて、該ＣＳＶファイルを参照しながら印字枚数集計処理が実行される。顧客テーブルには、顧客情報データベース５３ａに基づいて、顧客名と、対応するファックス番号とが書き込まれており、最上段の顧客から順番に、該顧客が使用する通信端末装置１の印字枚数が集計される。なお、顧客名の変わりに、顧客に対応する通信端末装置１の機種名などを用いてもよく、顧客管理テーブルの構成は特に限定はしないものとする。
【００２６】
次に、この作成された顧客管理テーブルの中には、印字枚数の集計が不要な顧客も入っており、前記集計装置５のＲＯＭ５２内の印字枚数受信プログラムに従って、顧客管理テーブルの最上段の顧客から順番に、印字枚数情報の取得対象者か否かの検索が実行される（ステップＳ４）。例えば、印字枚数の集計が不要な顧客には、図５の（ａ）に示す顧客管理テーブルの印字枚数の欄に、「不要」と書き込まれており、該「不要」の文字データを検出することによって、印字枚数情報の取得対象者か否かが判定される（ステップＳ５）。
【００２７】
ここで、印字枚数情報の取得対象者でないと判断されれば、ステップＳ１２にジャンプして、次の顧客（その下の段の顧客）の処理に移行され、印字枚数情報の取得対象者であれば、集計装置５からその顧客の通信端末装置１へ通信アクセスが実行され、該通信端末装置１のファックス番号が自動発呼されて（ステップＳ６）、呼びが確立すると（ステップＳ７）、集計装置５から該顧客の通信端末装置１に対して印字枚数情報を要求する指令等を乗せた非標準信号が送信され（ステップＳ８）、該顧客の通信端末装置１から該通信端末装置１の前回の集計から今回の集計までの印字枚数情報を乗せた非標準信号が返信される（ステップＳ９）。この一連の交信を経て、集計装置５では、顧客の通信端末装置１からの印字枚数情報が取得される。
【００２８】
一方、前記ステップＳ７で、該顧客の通信端末装置１が他の装置と通信中など、集計装置５からの所定回数の呼び出しに対しても応答がなく、呼びが確立しなければ、例えば、図５の（ｂ）に示すように、該顧客の通信端末装置１に対応する処理結果の欄に、「不成功」などと通信確立の不成功情報が書き込まれて、次の顧客（その下の段の顧客）の処理に移行され（ステップＳ１２）、該次の顧客が印字枚数情報の取得対象者か否かが判断されて（ステップＳ５）、以下、前記同様に処理が実行される。
【００２９】
なお、前記ステップＳ７で、通信確立が成功しなかった顧客の通信端末装置１のファックス番号などの識別情報を、通信失敗相手先用に作成された所定のファイルに保存するようにしてもよく、通信確立が成功しなかった通信端末装置１の識別情報を通信不成功装置として記憶する方法については特に限定はしないものとする。
【００３０】
そして、前記ステップＳ９で、受信した印字枚数情報は、集計装置５の顧客管理テーブルの所定の場所に格納され、例えば、図５の（ｂ）に示すように、該顧客の通信端末装置１に対応する印字枚数の欄に、印字枚数情報が書き込まれる（ステップＳ１０）。また、該顧客の通信端末装置１に対応する処理結果の欄には、「処理済」などと集計処理完了情報が書き込まれる。
【００３１】
この印字枚数情報の格納を終えた顧客が、顧客管理テーブルにおける最下段の顧客（最後の顧客）でなければ（ステップＳ１１）、次の顧客（その下の段の顧客）の処理に移行され（ステップＳ１２）、該次の顧客が印字枚数情報の取得対象者か否かが判断されて（ステップＳ５）、以下、前記同様に処理が実行される。
【００３２】
一方、前記ステップＳ１１で、印字枚数情報の格納を終えた顧客が、最後の顧客であり、前記通信確立に係る不成功情報が書き込まれた、通信不成功の顧客がいなければ（ステップＳ１３）、一連の処理が終了する。
【００３３】
このステップＳ１３で、通信不成功の顧客がいれば、この顧客に対して印字枚数集計処理が再試行される。ここで、この再試行の回数については予め初期設定されていて、今度の再試行までの再試行回数が設定回数以下ならば（ステップＳ１４）、前記ステップＳ４にジャンプし、再び顧客管理テーブルの最上段の顧客から順番に、印字枚数情報の取得対象者か否かの検索が実行される。この再試行に係る検索では、図５の（ｂ）に示す顧客管理テーブルの処理結果の欄に「不成功」と書き込まれた顧客が対象者となって、該「不成功」の文字データを検出することによって、印字枚数情報の取得対象者か否かが判定され（ステップＳ５）、以下、前記同様に処理が実行される。
【００３４】
一方、前記ステップＳ１４で、今度の再試行で設定回数を越えれば、この時点で通信確立に係る不成功情報が書き込まれた顧客の通信端末装置１に対応する処理結果の欄に、「ＮＧ」などと集計処理の不成功確定情報が上書きされて、一連の処理が終了する。
【００３５】
なお、通信端末装置１・１・・・には、印字枚数のほか、通信エラー回数や、紙ジャム発生回数などの項目も機器状態情報として記憶されており、通信端末装置１は、集計装置５から指定されたアドレスのデータを送信するため、通信アクセス時、集計装置５から印字枚数情報のアドレスに加えて、上記の他の項目のアドレスをも指定することにより、集計装置５は、印字枚数情報のみを受信するだけでなく、印字枚数情報と同時に、同一の通信手順において、他の項目のデータを受信することもできる。
【００３６】
以上、集計装置５による印字枚数集計処理の流れであり、次に、前記ステップＳ６からステップＳ９においての、集計装置５と通信端末装置１との間の交信処理（ファクシミリ伝送制御手順）について詳述する。
図６に示すように、まず、前記集計装置５のＲＯＭ５２内の印字枚数受信プログラムに従って、集計装置５から顧客に対応する通信端末装置１のファックス番号が自動発呼されるのであるが、このとき該集計装置５から該通信端末装置１に対してＣＮＧ（無鳴動信号）が発信され（ステップＰ１）、この呼び出しに対して、該通信端末装置１から集計装置５へＣＥＤ（被呼局識別信号）が返信されて（ステップＰ２）、呼びが確立する。
【００３７】
次に、通信端末装置１から集計装置５へ、当該通信端末装置１の交信能力が乗せられたＤＩＳ（デジタル識別信号）と、当該通信端末装置１の機種名やバージョン名などの機種情報が乗せられたＮＳＦ（非標準機能識別信号）と、当該通信端末装置１の登録名が乗せられたＣＳＩ（被呼端末識別信号）とが送信される（ステップＰ３）。
【００３８】
そして、これらの信号を受信した集計装置５からは、該通信端末装置１に対して印字枚数情報の送信を要求する指令と、アドレス記憶部５３ｃを参照して該通信端末装置１に対してアドレス、及びデータサイズを指定する指令とが乗せられたＮＳＣ（非標準機能命令信号）が送信される（ステップＰ４）。
【００３９】
このＮＳＣを受信した通信端末装置１では、集計装置５から受信したアドレス、及びデータサイズに基づいて印字枚数記憶部１３ａから印字枚数情報が読み出され、集計装置５に対して前回の集計から今回の集計までの印字枚数情報を乗せたＮＳＳ（非標準機能設定信号）が送信される（ステップＰ５）。この後は、必要に応じて集計装置５と通信端末装置１の間で信号の授受が行われる。例えば、セキュリティーの観点から、集計装置５から通信端末装置１へ、シリアル番号を要求する指令を乗せたＮＳＣが送信され、該通信端末装置１から集計装置５へ当該通信端末装置１のシリアル番号情報を乗せたＮＳＳが返信される。また、前記第１の印字枚数返信プログラムに従って、集計装置５で受信した印字枚数情報が雛形記憶部５３ｄの所定フォーマットに書き込まれて通知レポートデータが生成され、ステップＰ５の後に通信回線を切断することなく、集計装置５から該通知レポートデータが画情報（ＰＩＸ）として該通信端末装置１に送信される。そうして、発呼側である集計装置５から通信端末装置１に対してＤＣＮ（切断命令信号）が送信され（ステップＰ６）、通信回線が切断され、呼びが解放される。
【００４０】
あるいは、被呼側の通信端末装置１の交信能力によっては、前記第２の印字枚数返信プログラムに従って、前記ステップＰ５の直後に、集計装置５から通信端末装置１に対してＤＣＮ（切断命令信号）が送信され（ステップＰ６）、通信回線が一旦切断される。そして、集計装置５で受信した印字枚数情報が雛形記憶部５３ｄの所定フォーマットに書き込まれて通知レポートデータが生成され、再度、前記ステップＰ１からステップＰ３の手順に従って、該通信端末装置１に対して通信アクセスが行われ、この２回目の通信手順で、集計装置５から該通知レポートデータが画情報（ＰＩＸ）として該通信端末装置１に送信される。
【００４１】
以上のように、第１の印字枚数返信プログラム、又は第２の印字枚数返信プログラムのどちらかの印字枚数返信プログラムに従って、集計装置５から通知レポートデータが画情報（ＰＩＸ）として送信され、該画情報（ＰＩＸ）を受信した通信端末装置１では、画像記録部４で通知レポートデータとして記録紙に記録され、こうして、前回の集計から今回の集計までの印字枚数等が記載された通知レポートが印字出力される。
【００４２】
次に、各通信端末装置１・１・・・での印字枚数出力処理についての別実施例を説明する。
この別実施例の通信端末装置１の制御部には、通知部１６、監視部１７とが付設され、該通知部１６は、集計装置５に対して印字枚数情報を乗せたＮＳＳ（非標準機能設定信号）を送信した際にＲＡＭ１３の特定ビットの状態を変化させ、該監視部１７は該特定ビットの状態変化を所定周期で監視している。
ＲＯＭ１２には、監視部１７により特定ビットの変化を検出すると、送信した印字枚数情報を前記雛形記憶部１３ｂの所定フォーマット内に書き込み、画像記録部４で通知レポートとして記録紙に記録して印字出力させる制御プログラムが格納されている。
【００４３】
そして、図７に示すように、前記集計装置での印字枚数集計処理におけるステップＳ９（図４参照）の処理で、通信端末装置１の印字枚数記憶部１３ａに蓄積されている、前回の集計から今回の集計までの印字枚数情報をＮＳＳに乗せて、集計装置５へ送信したことをトリガとして、該通信端末装置１のＣＰＵ１０から印字枚数出力指示が出力される。具体的には、通信端末装置１から集計装置５へ印字枚数情報を乗せたＮＳＳが送信されると（ステップＴ１）、該通信端末装置１の制御部の通知部１６によって、ＲＡＭ１３内の特定ビットが立てられる（ステップＴ２）。この特定ビットの状態の変化が監視部１７で検出されると（ステップＴ３）、ＣＰＵ１０から印字枚数出力指示が出力されて（ステップＴ３）、前記の送信した印字枚数情報が前記雛形記憶部１３ｂの所定フォーマット内に書き込まれて（ステップＴ４）、画像記録部４で通知レポートとして記録紙に記録され、こうして該通信端末装置１の下で、前回の集計から今回の集計までの印字枚数等が記載された通知レポートが印字出力される。
【００４４】
中には、この印字枚数の通信レポートの印字出力を希望しない顧客もいるため、通信端末装置１の制御部に、通知レポートの印字出力の要否を設定するための設定手段を増設しておいて、顧客の側で通知レポートの要／不要を設定できるように構成してもよい。この場合、例えば、操作部２の表示部２０の手前に配置される表示対応キーの操作などによって、表示部２０に通知レポートの印字出力モードを表示させて、通知レポートの要／不要を切り替えるように構成される。
【００４５】
以上のような構成で、顧客の側の通信端末装置１でも、印字枚数情報が書き込まれた通知レポートを容易に取得することができ、印字枚数集計処理が自動化されて作業効率が向上する。
【００４６】
【発明の効果】
本発明は、以上のように構成したので、次に示すような効果を奏する。
まず、請求項１の発明に係る印字枚数機能を有する通信端末装置では、集計装置に印字枚数情報を送信したことをトリガとして、顧客の側の通信端末装置でも、この送信した印字枚数情報が書き込まれた通知レポートを容易に取得することができ、印字枚数が集計されたことを確実に知ることができる。
【００４７】
また、請求項２の発明に係る印字枚数機能を有する通信端末装置では、集計装置に印字枚数情報を送信した際に通信端末装置の制御部の特定ビットが立てられ、この特定ビットの変化を監視手段で検出することによって、顧客の側の通信端末装置でも、この送信した印字枚数情報が書き込まれた通知レポートを容易に取得することができ、印字枚数が集計されたことを確実に知ることができる。
【００４８】
そして、請求項３の発明に係る印字枚数集計装置では、通信端末装置から印字枚数情報を受信すると、その受信した印字枚数情報を所定フォーマットに書き込んで通知レポートデータを生成し、該印字枚数情報の受信に引き続いて同一の通信手順内で、該通知レポートデータを画情報として該通信端末装置に送信することで、印字枚数集計処理が自動化されて作業効率が向上するとともに、顧客の側の通信端末装置においても、印字枚数が集計されたことを確実に知ることができる。
【００４９】
また、請求項４の発明に係る印字枚数集計装置では、通信端末装置から印字枚数情報を受信すると、その受信した印字枚数情報を所定フォーマットに書き込んで通知レポートデータを生成し、該印字枚数情報の受信後、通信回線を一旦切断した後に、再度、該通信端末装置に対して通信アクセスを行い、この通信手順で該通知レポートデータを画情報として該通信端末装置に送信することで、印字枚数集計処理が自動化されて作業効率が向上するとともに、顧客の側の通信端末装置においても、印字枚数が集計されたことを確実に知ることができる。
【図面の簡単な説明】
【図１】印字機能を有する通信端末装置１・１・・・と、集計装置５とから成る印字枚数集計システムの概略構成図。
【図２】通信端末装置１の制御構成を示すブロック図。
【図３】集計装置５の制御構成を示すブロック図。
【図４】集計装置５での印字枚数集計処理を説明するフローチャート。
【図５】顧客管理テーブルの一例を示す図。（ａ）は印字枚数集計処理を実行する前の顧客管理テーブル。（ｂ）は印字枚数集計処理を実行中の顧客管理テーブル。
【図６】集計装置５と通信端末装置１との交信を説明するタイムチャート。
【図７】通信端末装置１での印字枚数出力処理を説明するフローチャート。
【符号の説明】
１　　通信端末装置
４　　画像記録部
５　　集計装置
１０　　ＣＰＵ
１２　　ＲＯＭ
１３　　ＲＡＭ
１３ａ　印字枚数記憶部
１３ｂ　雛形記憶部
１６　　通知部
１７　　監視部
５０　　ＣＰＵ
５２　　ＲＯＭ
５３　　ＲＡＭ
５３ａ　顧客情報データベース
５３ｂ　印字枚数記憶部
５３ｃ　アドレス記憶部
５３ｄ　雛形記憶部
【図１】
2004080521.tif 000003
【図２】
2004080521.tif 000004
【図３】
2004080521.tif 000005
【図４】
2004080521.tif 000006
【図５】
2004080521.tif 000007
【図６】
2004080521.tif 000008
【図７】
2004080521.tif 000009